(57)【要約】【課題】フォーカルプレンシャッタにおいて、羽根部材の走行完了時の衝撃を効率よく緩和しつつ、緩衝部材の摩耗や破損等を防止する。【解決手段】基板１０、羽根部材５０，４０、羽根部材を駆動する駆動部材７０，６０、羽根部材の走行終了時における衝撃を緩和するゴム製の緩衝部材９０，１００を含み、緩衝部材９０，１００は、基板に不動に固定される固定部９１，１０１、羽根部材を当接させる直線状の当接部９２，１０２、羽根部材が当接する際の移動方向に対して所定角度をなす方向に伸長して固定部及び当接部を連結する複数の連結部９３，１０３を含み、固定部、当接部、及び複数の連結部により複数の肉抜き部Ｓを画定するように形成されている。これによれば、衝撃を効率よく緩和でき、緩衝部材の摩耗や破損等を防止できる。【選択図】図７
2015138259.tif 000002
【特許請求の範囲】
【請求項１】
露光用の開口部を有する基板と、前記開口部を開閉するべく前記基板に移動自在に設けられた羽根部材と、前記羽根部材を駆動する駆動部材と、前記羽根部材の走行終了時における衝撃を緩和するべく前記基板に設けられたゴム製の緩衝部材と、を含むフォーカルプレンシャッタであって、
前記緩衝部材は、前記基板に不動に固定される固定部と、前記羽根部材又は駆動部材を当接させる直線状の当接部と、前記羽根部材又は駆動部材が当接する際の移動方向に対して所定角度をなす方向に伸長して前記固定部及び当接部を連結する複数の連結部を含み、前記固定部、前記当接部、及び前記複数の連結部により複数の肉抜き部を画定するように形成されている、
ことを特徴とするフォーカルプレンシャッタ。
【請求項２】
前記複数の肉抜き部は、略平行四辺形をなすように形成されている、
ことを特徴とする請求項１に記載のフォーカルプレンシャッタ。
【請求項３】
前記複数の肉抜き部は、前記当接部の伸長方向において均等に配列されている、
ことを特徴とする請求項１又は２に記載のフォーカルプレンシャッタ。
【請求項４】
前記羽根部材は、前記開口部を開閉する羽根本体と、前記羽根本体を連結する複数のアームを含み、
前記緩衝部材は、前記羽根本体又は前記アームを当接させるように配置されている、
ことを特徴とする請求項１ないし３いずれか一つに記載のフォーカルプレンシャッタ。
【請求項５】
前記基板は、前記羽根部材を回動自在に支持する地板と、前記地板と所定間隔をおいて配置された裏板と、前記地板と前記裏板の間に配置され前記地板と協働して第１羽根室及び前記裏板と協働して第２羽根室を画定する中間板を含み、
前記羽根部材は、シャッタ動作時に、前記開口部を開放するべく前記第１羽根室及び第２羽根室の一方に配置された先羽根及び前記開口部を閉鎖するべく前記第１羽根室及び第２羽根室の他方に配置された後羽根を含み、
前記緩衝部材は、前記第１羽根室内に配置された第１緩衝部材と、前記第２羽根室内に配置された第２緩衝部材を含む、
ことを特徴とする請求項１ないし４いずれか一つに記載のフォーカルプレンシャッタ。
【請求項６】
前記基板は、前記緩衝部材の固定部を嵌合させて挟持する嵌合挟持部を含む、
ことを特徴とする請求項１ないし５いずれか一つに記載のフォーカルプレンシャッタ。
【請求項７】
前記嵌合挟持部は、前記固定部の外側面に当接する第１当接壁部と、前記複数の連結部の間において前記固定部の内側面に当接する第２当接壁部と、前記固定部の厚み方向における一側面に当接する第３当接壁部を含む、
ことを特徴とする請求項６に記載のフォーカルプレンシャッタ。
【請求項８】
前記嵌合挟持部は、前記固定部の外側面に当接する第１当接壁部と、前記複数の連結部の間において前記固定部の内側面に当接する第２当接壁部と、前記固定部の厚み方向における一側面に当接する第３当接壁部と、前記固定部の厚み方向における他側面に当接する第４当接壁部を含む、
ことを特徴とする請求項６に記載のフォーカルプレンシャッタ。
【請求項９】
請求項１ないし８いずれか一つに記載のフォーカルプレンシャッタを備えた、
ことを特徴とするカメラ。
【発明の詳細な説明】
【技術分野】
【０００１】
本発明は、露光用の開口部を開閉する羽根部材を有するフォーカルプレンシャッタに関し、特に、一眼カメラ、一眼レフカメラ、ミラーレスカメラ、レンジファインダカメラ等のカメラにおいて露光用の開口部を開閉するフォーカルプレンシャッタに関する。
【背景技術】
【０００２】
従来のフォーカルプレンシャッタとしては、露光用の開口部を有する略矩形の基板（地板）、基板と所定間隔をおいて配置された仕切板（中間板）及び背面板（裏板）、基板の開口部を開閉するべく仕切板と背面板の間に移動自在に配置された先幕（羽根部材）、基板の開口部を開閉するべく基板と仕切板の間に移動自在に配置された後幕（羽根部材）、先幕を駆動する先幕駆動レバー、後幕を駆動する後幕駆動レバー、後幕の走行完了時にその羽根（羽根本体）を当接させて衝撃を緩和するべく基板と仕切板の間に配置されたゴム製の緩衝部材、先幕の走行完了時にその羽根（羽根本体）を当接させて衝撃を緩和するべく基板と背面板の間に配置されたゴム製の緩衝部材等を備え、それぞれの緩衝部材が、略矩形の環状に（長孔状の肉抜き部を有するように）形成されて基板に嵌め込まれ、その直線状の一つの外側面に後幕及び先幕の羽根本体が当接するように形成されたもの（羽根駆動装置）が知られている（例えば、特許文献１を参照）。
【０００３】
しかしながら、このフォーカルプレンシャッタにおいては、略矩形の環状をなす緩衝部材は、三方向の外側面が基板の凹部（第１保持部）の内側面に嵌め込まれて固定されており、凹部（第１保持部）から解放された一つの外側面に対して略垂直な方向から羽根本体を当接させるように形成されている。
したがって、この緩衝部材は、両側の肉抜きされていない部分で衝撃を受けると共に、その肉抜き部によりバネ定数が小さくなった分だけ羽根本体が当接する直線部分を内側に（肉抜き部が小さくなるように）変形し易くしたものであり、緩衝作用としては従来の固定形式の緩衝部材のバネ定数を小さくしたものに過ぎず、それ故に、羽根本体を常に同じ面で受けつつ弾性変形に伴う相対的な移動を生じて、緩衝部材の局部的な磨耗、緩衝性能の低下、摩耗粉の発生等を招く虞がある。
【先行技術文献】
【特許文献】
【０００４】
【特許文献１】特開２０１１−１７０２２６号公報
【発明の概要】
【発明が解決しようとする課題】
【０００５】
本発明は、上記の事情に鑑みて成されたものであり、その目的とするところは、構造の簡素化、耐久性の向上等を図りつつ、開口部を開閉する羽根部材の走行完了時の衝撃を効率よく緩和でき、又、衝撃に伴うバウンド等も抑制ないし防止でき、緩衝部材の摩耗や破損等を防止でき、所望のタイミングでシャッタ動作を行うことができるフォーカルプレンシャッタを提供することにある。
【課題を解決するための手段】
【０００６】
本発明のフォーカルプレンシャッタは、露光用の開口部を有する基板と、開口部を開閉するべく基板に移動自在に設けられた羽根部材と、羽根部材を駆動する駆動部材と、羽根部材の走行終了時における衝撃を緩和するべく基板に設けられたゴム製の緩衝部材と、を含むフォーカルプレンシャッタであって、上記緩衝部材は、基板に不動に固定される固定部と、羽根部材又は駆動部材を当接させる直線状の当接部と、羽根部材又は駆動部材が当接する際の移動方向に対して所定角度をなす方向に伸長して固定部及び当接部を連結する複数の連結部を含み、固定部、当接部、及び複数の連結部により複数の肉抜き部を画定するように形成されている、ことを特徴としている。
この構成によれば、羽根部材のシャッタ動作完了時（走行終了時）に、羽根部材又は駆動部材が、緩衝部材の当接部に当接すると、その当接部が弾性変形すると共に複数の連結部が羽根部材又は駆動部材の移動方向に撓むように弾性変形して、羽根部材の走行終了時における衝撃が緩和される。
この衝撃緩和作用において、羽根部材又は駆動部材は、緩衝部材の当接部に当接した後に、複数の連結部の撓み（弾性変形）により、相対的な移動（滑り）を生じることなく（両者の接点がずれることなく）一体的に移動するため、相対的な移動（滑り）による摩耗や破損等を防止でき、構造の簡素化、耐久性の向上等を達成しつつ、羽根部材の走行完了時の衝撃を効率よく緩和でき、又、衝撃に伴うバウンド等も抑制ないし防止でき、所望のタイミングでシャッタ動作を行わせることができる。
【０００７】
上記構成において、複数の肉抜き部は、略平行四辺形をなすように形成されている、構成を採用することができる。
この構成によれば、複数の肉抜き部が略平行四辺形をなすように形成されているため、連結部の撓み方向が予め方向付けられており、それ故に、撓みによる弾性変形量を十分確保できると共に、所望の衝撃吸収性能を得ることができる。
【０００８】
上記構成において、複数の肉抜き部は、当接部の伸長方向において均等に配列されている、構成を採用することができる。
この構成によれば、複数の肉抜き部が当接部の伸長方向において均等に形成されるため、当接部の直線状の当接面の全域を羽根部材又は駆動部材に均等に接触（当接）させて、局部的な接触（当接）による片摩耗等をより確実に防止することができる。
【０００９】
上記構成において、羽根部材は、開口部を開閉する羽根本体と、羽根本体を連結する複数のアームを含み、緩衝部材は、羽根本体又はアームを当接させるように配置されている、構成を採用することができる。
この構成によれば、羽根部材を構成する羽根本体又はアームを緩衝部材の直線状の当接部）に当接させるため、羽根部材の衝突による変形等を防止しつつ、安定した衝撃緩和作用を得ることができる。
【００１０】
上記構成において、基板は、羽根部材を回動自在に支持する地板と、地板と所定間隔をおいて配置された裏板と、地板と裏板の間に配置され地板と協働して第１羽根室及び裏板と協働して第２羽根室を画定する中間板を含み、羽根部材は、シャッタ動作時に、開口部を開放するべく第１羽根室及び第２羽根室の一方に配置された先羽根及び開口部を閉鎖するべく第１羽根室及び第２羽根室の他方に配置された後羽根を含み、緩衝部材は、第１羽根室内に配置された第１緩衝部材と、第２羽根室内に配置された第２緩衝部材を含む、構成を採用することができる。
この構成によれば、地板と中間板の間の第１羽根室、中間板と裏板の間の第２羽根室を備え、先羽根及び後羽根が展開時に中間板に沿って移動する構造において、シャッタ動作完了時に、第１羽根室に配置された第１緩衝部材が先羽根及び後羽根の一方の衝撃を緩和し、第２羽根室に配置された第２緩衝部材が先羽根及び後羽根の他方の衝撃を緩和する。
これにより、先羽根及び後羽根の衝撃がそれぞれ緩和され、所望のタイミングで先羽根及び後羽根にシャッタ動作を行わせることができる。
【００１１】
上記構成において、基板は、緩衝部材の固定部を嵌合させて挟持する嵌合挟持部を含む、構成を採用することができる。
この構成によれば、地板の嵌合挟持部に緩衝部材の固定部を嵌合させることにより、緩衝部材を地板に対して抜け落ちないように容易に組み付けることができる。
【００１２】
上記構成において、嵌合挟持部は、固定部の外側面に当接する第１当接壁部と、複数の連結部の間において固定部の内側面に当接する第２当接壁部と、固定部の厚み方向における一側面に当接する第３当接壁部を含む、構成を採用することができる。
この構成によれば、第１当接壁部に固定部の外側面を当接させつつ、第２当接壁部に固定部の内側面を当接させるように嵌め込むと共に、第３当接壁部に固定部の一側面を当接させることにより、第１当接壁部及び第２当接壁部で固定部の外側面及び内側面を挟持しつつ、第３当接壁部で厚み方向の位置決めを行うことができ、緩衝部材を地板に対して抜け落ちないように容易に組み付けることができる。
【００１３】
上記構成において、嵌合挟持部は、固定部の外側面に当接する第１当接壁部と、複数の連結部の間において固定部の内側面に当接する第２当接壁部と、固定部の厚み方向における一側面に当接する第３当接壁部と、固定部の厚み方向における他側面に当接する第４当接壁部を含む、構成を採用することができる。
この構成によれば、第１当接壁部に固定部の外側面を当接させつつ、第２当接壁部に固定部の内側面を当接させるように嵌め込むと共に、第３当接壁部に固定部の一側面を当接させ、第４当接壁部に固定部の他側面を当接させることにより、第１当接壁部及び第２当接壁部で固定部の外側面及び内側面を挟持しつつ、第３当接壁部及び第４当接壁部で厚み方向において固定部を挟持すると共に位置決めを行うことができ、緩衝部材を地板に対してより確実に抜け落ちないように容易に組み付けることができる。
【００１４】
本発明のカメラは、上記に記載のいずれかの構成をなすフォーカルプレンシャッタを備えた、ことを特徴としている。
この構成によれば、構造の簡素化、耐久性の向上等を達成しつつ、開口部を開閉する羽根部材の走行完了時の衝撃を効率よく緩和でき、又、衝撃に伴うバウンド等も抑制ないし防止でき、緩衝部材の摩耗や破損等を防止でき、所望のタイミングでシャッタ動作を行うことができる。
【発明の効果】
【００１５】
上記構成をなすフォーカルプレンシャッタによれば、構造の簡素化、耐久性の向上等を達成しつつ、開口部を開閉する羽根部材の走行完了時の衝撃を効率よく緩和でき、又、衝撃に伴うバウンド等も抑制ないし防止でき、緩衝部材の摩耗や破損等を防止でき、所望のタイミングでシャッタ動作を行うことができるフォーカルプレンシャッタを得ることができる。
【図面の簡単な説明】
【００１６】
【図１】本発明に係るフォーカルプレンシャッタの一実施形態を示すものであり、羽根部材（先羽根及び後羽根）がシャッタ動作を完了した状態を示す平面図である。
【図２】本発明に係るフォーカルプレンシャッタに含まれる羽根部材（先羽根及び後羽根）がシャッタ動作前のセット位置にセットされた状態を示す平面図である。
【図３】本発明に係るフォーカルプレンシャッタに含まれる羽根部材（先羽根及び後羽根）において、先羽根がセット位置から走行して開口部を開放した状態を示す平面図である。
【図４】本発明に係るフォーカルプレンシャッタに含まれる第１緩衝部材と、第１緩衝部材の固定部を嵌合挟持する基板（地板）の嵌合挟持部を示す分解斜視図である。
【図５】本発明に係るフォーカルプレンシャッタに含まれる第１緩衝部材を基板（地板）の嵌合挟持部に取り付けた状態を示す部分斜視図である。
【図６】本発明に係るフォーカルプレンシャッタに含まれる基板（地板、中間板、裏板）、羽根部材（後羽根）、第１緩衝部材を示す部分断面図である。
【図７】本発明に係るフォーカルプレンシャッタに含まれる羽根部材（後羽根の羽根本体）が第１緩衝部材に当接する動作を説明する模式図である。
【図８】本発明に係るフォーカルプレンシャッタに含まれる第１緩衝部材の作用を説明する模式図であり、（ａ）は後羽根の羽根本体が第１緩衝部材（の当接部）に当接する前の状態を示す平面図、（ｂ）は後羽根の羽根本体が第１緩衝部材（の当接部）に当接して、複数の連結部か撓むように弾性変形した状態を示す平面図である。
【図９】本発明に係るフォーカルプレンシャッタに含まれる第２緩衝部材と、第２緩衝部材の固定部を嵌合挟持する基板（地板）の嵌合挟持部を示す分解斜視図である。
【図１０】本発明に係るフォーカルプレンシャッタに含まれる基板（地板、中間板、裏板）、羽根部材（先羽根）、第２緩衝部材を示す部分断面図である。
【図１１】本発明に係るフォーカルプレンシャッタに含まれる羽根部材（先羽根の羽根本体）が第２緩衝部材に当接する動作を説明する模式図である。
【発明を実施するための形態】
【００１７】
以下、本発明の実施形態について、添付図面を参照しつつ説明する。
この実施形態に係るフォーカルプレンシャッタは、図１に示すように、露光用の開口部１０ａを有する基板としての地板１０、地板１０と所定間隔をおいて平行に配置された基板としての裏板２０、地板１０と裏板２０の間に配置された基板としての中間板３０、地板１０に対して移動自在に設けられた羽根部材としての先羽根４０及び後羽根５０、先羽根４０を駆動する駆動部材としての先羽根駆動レバー６０、後羽根５０を駆動する駆動部材としての後羽根駆動レバー７０、先羽根駆動レバー６０の駆動ピン６０ａ及び後羽根駆動レバー７０の駆動ピン７０ａがそれぞれ当接し得る二つの当接ゴム８０、後羽根５０の羽根本体５４を当接させる第１緩衝部材９０、先羽根４０のアーム４５を当接させる第２緩衝部材１００、先羽根４０及び後羽根５０（すなわち、先羽根駆動レバー６０及び後羽根駆動レバー７０）をシャッタ動作前（露光動作前）のセット位置にセットするセット部材（不図示）、セット部材を駆動する駆動機構（不図示）、先羽根駆動レバー６０及び後羽根駆動レバー７０をセット位置に吸着保持する二つの電磁石１１０等を備えている。
【００１８】
地板１０は、図１、図４ないし図６に示すように、略矩形の平板状に形成されており、略矩形をなす露光用の開口部１０ａ、円弧部分及び半円部分が連続する長孔１０ｂ及び長孔１０ｃ、先羽根４０を回動自在に支持するべく羽根室側に立設された支軸１０ｄ，１０ｅ、後羽根５０を回動自在に支持するべく羽根室側に立設された支軸１０ｆ，１０ｇ、先羽根駆動レバー６０を回動自在に支持するべく羽根室の外側に立設された支軸１０ｈ、後羽根駆動レバー７０を回動自在に支持するべく羽根室の外側に立設された支軸１０ｉ、第１緩衝部材９０を固定する嵌合挟持部（第１当接壁部１０ｊ，第２当接壁部１０ｋ，第３当接壁部１０ｍ，第４当接壁部１０ｎ）、第２緩衝部材１００を固定する嵌合挟持部（第１当接壁部１０ｐ，第２当接壁部１０ｑ，第３当接壁部１０ｒ）等を備えている。
【００１９】
裏板２０は、図１ないし図３、図６、図１０に示すように、地板１０と平行に所定間隔をおいて配置されて地板１０に着脱自在に固定され、開口部１０ａに対応する開口部２０ａ等を備えている。
中間板３０は、図１ないし図３、図６、図１０に示すように、地板１０と裏板２０の間に配置され、地板１０と協働して第１羽根室Ｗ１を画定しかつ裏板２０と協働して第２羽根室Ｗ２を画定するものであり、開口部１０ａに対応する開口部３０ａ等を備えている。
そして、地板１０と中間板３０の間に画定される第１羽根室Ｗ１に後羽根５０が配置され、中間板３０と裏板２０の間に画定される第２羽根室Ｗ２に先羽根４０が配置されて、中間板３０は、先羽根４０及び後羽根５０をその両面に沿わせて展開させるようにガイドするようになっている。
【００２０】
先羽根４０は、図１ないし図３に示すように、４枚の羽根本体４１，４２，４３，４４、羽根本体４１，４２，４３，４４を連結する２つのアーム４５，４６により構成されている。
アーム４５は、支軸１０ｄにより回動自在に支持されると共に、その一部が先羽根駆動レバー６０の駆動ピン６０ａに連結されている。
アーム４６は、支軸１０ｅにより回動自在に支持されている。
そして、アーム４５が、図１に示すように先羽根駆動レバー６０により図中の下方に向けて（時計回りに）駆動されることにより、４枚の羽根本体４１，４２，４３，４４が重なり合って開口部１０ａを開放すると共にアーム４５が第２緩衝部材１００（の当接部１０２）に当接し、一方、図２に示すように先羽根駆動レバー６０により図中の上方に向けて（反時計回りに）駆動されることにより、４枚の羽根本体４１，４２，４３，４４が展開して開口部１０ａを閉鎖するようになっている。
【００２１】
後羽根５０は、図１ないし図３、図６に示すように、４枚の羽根本体５１，５２，５３，５４、羽根本体５１，５２，５３，５４を連結する２つのアーム５５，５６により構成されている。
アーム５５は、支軸１０ｆにより回動自在に支持されると共に、その一部が後羽根駆動レバー７０の駆動ピン７０ａに連結されている。
アーム５６は、支軸１０ｇにより回動自在に支持されている。
そして、アーム５５が、図１に示すように後羽根駆動レバー７０により図中の下方に向けて（時計回りに）駆動されることにより、４枚の羽根本体５１，５２，５３，５４が展開して開口部１０ａを閉鎖すると共に羽根本体５４が第１緩衝部材９０（の当接部９２）に当接し、一方、図２に示すように後羽根駆動レバー７０により図中の上方に向けて（反時計回りに）駆動されることにより、４枚の羽根本体５１，５２，５３，５４が重なり合って開口部１０ａを開放するようになっている。
【００２２】
先羽根駆動レバー６０は、図１ないし図３に示すように、アーム４５が連結される駆動ピン６０ａ、シャッタ動作前（露光動作前）のセット位置にセットする際にセット部材が係合して反時計回りに回転力が及ぼされる係合部６０ｂ、電磁石１１０により吸着される被吸着部６０ｃ等を備えている。
そして、先羽根駆動レバー６０は、支軸１０ｈにより回動自在に支持されると共に付勢バネ（不図示）により時計回りに回転付勢され、駆動ピン６０ａが長孔１０ｂに挿入されて先羽根４０のアーム４５に連結されており、休止状態で付勢バネにより時計回りに回転させられて先羽根４０を開放位置に移動させると共に駆動ピン６０ａが当接ゴム８０に当接し、一方、セット部材により反時計回りに回転させられて先羽根４０を閉鎖位置に移動させ、レリーズ等の信号による露光動作時に電磁石１１０の通電により被吸着部６０ｃが吸着されてシャッタ動作前のセット位置に保持され、電磁石１１０を非通電とすることにより磁力による吸着が解除されて、付勢バネの付勢力により時計回りに回転させられて先羽根４０を開放位置に移動させるようになっている。
【００２３】
後羽根駆動レバー７０は、図１ないし図３に示すように、アーム５５が連結される駆動ピン７０ａ、シャッタ動作前（露光動作前）のセット位置にセットする際にセット部材が係合して反時計回りに回転力が及ぼされる係合部７０ｂ、電磁石１１０により吸着される被吸着部７０ｃ等を備えている。
そして、後羽根駆動レバー７０は、支軸１０ｉにより回動自在に支持されると共に付勢バネ（不図示）により時計回りに回転付勢され、駆動ピン７０ａが長孔１０ｃに挿入されて後羽根５０のアーム５５に連結されており、休止状態で付勢バネにより時計回りに回転させられて後羽根５０を閉鎖位置に移動させると共に駆動ピン７０ａが当接ゴム８０に当接し、一方、セット部材により反時計回りに回転させられて後羽根５０を開放位置に移動させ、レリーズ等の信号による露動作動時に電磁石１１０の通電により被吸着部７０ｃが吸着されてシャッタ動作前のセット位置に保持され、電磁石１１０を非通電とすることにより磁力による吸着が解除されて、付勢バネの付勢力により時計回りに回転させられて後羽根５０を閉鎖位置に移動させるようになっている。
【００２４】
当接ゴム８０，８０は、弾性変形可能なゴム材料等により形成されており、図１ないし図３に示すように、地板１０の長孔１０ｂ，１０ｃの半円部分に嵌め込まれて固定され、シャッタ動作完了時に、駆動ピン６０ａ、７０ａを当接させて衝撃を緩和するように形成されている。
【００２５】
第１緩衝部材９０は、図１ないし図３、図４ないし図８に示すように、第１羽根室Ｗ１内に配置されて後羽根５０の羽根本体５４を当接させるべく弾性変形可能なゴム材料等により形成されており、地板１０の嵌合挟持部（第１当接壁部１０ｊ，第２当接壁部１０ｋ，第３当接壁部１０ｍ，第４当接壁部１０ｎ）に不動に固定される固定部９１、羽根本体５４を当接させる直線状の当接面９２ａを有する当接部９２、固定部９１及び当接部９２を連結すると共に（図７及び図８に示すように）羽根本体５４の当接時の移動方向Ｖに対して所定角度θに方向付けられて形成された複数（ここでは、６個）の連結部９３等を備えている。
【００２６】
固定部９１は、図４ないし図６に示すように、略直方体形状に形成されており、地板１０の第１当接壁部１０ｊと当接する外側面９１ａ、地板１０の第２当接壁部１０ｋと当接する内側面９１ｂ、地板１０の第３当接壁部１０ｍと当接する一側面９１ｃ、地板１０の第４当接壁部１０ｎと当接する他側面としての凹状部９１ｄ等を画定するように形成されている。
当接部９２は、図４ないし図６に示すように、固定部９１と同一の厚さで略直方体形状に形成されており、後羽根５０の羽根本体５４（の直線状の縁部）が離脱可能に当接する直線状の平坦な当接面９２ａ等を画定するように形成されている。
複数の連結部９３は、図４ないし図６に示すように、固定部９１及び当接部９２と同一の厚さで略直方体形状に形成されると共に、（図７及び図８に示すように）羽根本体５４が当接する際の移動方向Ｖに対して角度θをなす方向Ｌに伸長して固定部９１と当接部９２を連結するように形成されている。
すなわち、第１緩衝部材９０は、固定部９１、当接部９２、及び複数の連結部９３により、複数（ここでは、５個）の肉抜き部Ｓを画定し、肉抜き部Ｓは、図８（ａ），（ｂ）に示すように、略平行四辺形をなすと共に、当接部９２の伸長方向において均等に配列されるように形成されている。
【００２７】
そして、第１緩衝部材９０は、図４ないし図６に示すように、外側面９１ａが第１当接壁部１０ｊに当接され、内側面９１ｂが第２当接壁部１０ｋに当接され、一側面９１ｃが第３当接壁部１０ｍに当接され、凹状部９１ｄが第４当接壁部１０ｎに当接されることで、固定部９１が地板１０の嵌合挟持部に嵌合されて挟持固定され、当接部９２及び複数の連結部９３が地板１０に対して非接触の状態に維持されて自由に弾性変形し得るようになっている。
尚、第１緩衝部材９０を地板１０の嵌合挟持部に固定する際に、連結部９３の両側面が、第２当接壁部１０ｋの側面と非接触となるように嵌め込まれており、連結部９３の撓み変形を妨げないようになっている。
このように、第１緩衝部材９０は、第１当接壁部１０ｊ及び第２当接壁部１０ｋで固定部９１の外側面９１ａ及び内側面９１ｂを挟持しつつ、第３当接壁部１０ｍ及び第４当接壁部１０ｎで厚み方向において固定部９１を挟持すると共に位置決めを行うことができ、地板１０に対して抜け落ちないように容易に組み付けることができる。
【００２８】
ここで、第１緩衝部材９０の緩衝作用について、図８（ａ），（ｂ）を参照しつつ説明する。
先ず、図８（ａ）に示すように、後羽根５０の羽根本体５４（の直線状の縁部）と第１緩衝部材９０の当接部９２（の当接面９２ａ）とが略平行になる状態で、羽根本体５０が第１緩衝部材９０に近づく。
そして、羽根本体５４が第１緩衝部材９０の当接部９２に当接する際に、第１緩衝部材９０の連結部９３は、羽根本体５４の移動方向Ｖに対して角度θをなす方向Ｌに伸長するように方向付けられている。
続いて、羽根本体５４が、当接部９２の当接面９２ａに当接しつつ移動方向Ｖに押圧作用を及ぼすと、図８（ｂ）に示すように、当接部９２が当接面９２ａの全域で羽根本体５４を受けて弾性変形すると共に、複数の連結部９３が移動方向Ｖに撓むように弾性変形して、後羽根５０の走行終了時における衝撃が緩和され、その後、弾性復帰して元の状態に戻る。
この衝撃緩和作用において、羽根本体５４は、第１緩衝部材９０の当接部９２に当接した後に、複数の連結部９３の撓み（弾性変形）により、相対的な移動（滑り）を生じることなく一体的に移動する（図８（ｂ）に示すように、羽根本体５４上の点Ｐ１と当接部９２上の点Ｐ２が一緒に移動する）ため、相対的な移動（滑り）による摩耗や破損等を防止でき、構造の簡素化、耐久性の向上等を達成しつつ、後羽根５０の走行完了時の衝撃を効率よく緩和でき、又、衝撃に伴うバウンド等も抑制ないし防止でき、所望のタイミングでシャッタ動作を行わせることができる。
【００２９】
ここでは、複数の肉抜き部Ｓが略平行四辺形をなすように形成されているため、連結部９３の撓み方向が予め方向付けられており、それ故に、撓みによる弾性変形量を十分確保できると共に、所望の衝撃吸収性能を得ることができる。
また、複数の肉抜き部Ｓが当接部９２の伸長方向において均等に配列されているため、当接部９２の直線状の当接面９２ａの全域を羽根本体５４に均等に接触（当接）させて、局部的な接触（当接）による片摩耗等を確実に防止することができる。
さらに、第１緩衝部材９０の当接部９２が羽根本体５４と直線状に当接するため、後羽根５０の衝突による変形等を防止しつつ、安定した衝撃緩和作用を得ることができる。
【００３０】
第２緩衝部材１００は、図１ないし図３、図９ないし図１１に示すように、第２羽根室Ｗ２内に配置されて先羽根４０のアーム４５を当接させるべく弾性変形可能なゴム材料等により形成されており、地板１０の嵌合挟持部（第１当接壁部１０ｐ，第２当接壁部１０ｑ，第３当接壁部１０ｒ）に不動に固定される固定部１０１、アーム４５を当接させる直線状の当接面１０２ａを有する当接部１０２、固定部１０１及び当接部１０２を連結すると共に（図１１に示すように）アーム４５の当接時の移動方向Ｖに対して所定角度θに方向付けられて形成された複数（ここでは、４個）の連結部１０３等を備えている。
【００３１】
固定部１０１は、図９ないし図１１に示すように、略直方体形状に形成されており、地板１０の第１当接壁部１０ｐと当接する外側面１０１ａ、地板１０の第２当接壁部１０ｑと当接する内側面１０１ｂ、地板１０の第３当接壁部１０ｒと当接する一側面１０１ｃ等を画定するように形成されている。
当接部１０２は、図９ないし図１１に示すように、固定部１０１と同一の厚さで略直方体形状に形成されており、先羽根４０のアーム４５（の直線状の縁部）が離脱可能に当接する直線状の平坦な当接面１０２ａ等を画定するように形成されている。
複数の連結部１０３は、図９ないし図１１に示すように、固定部１０１及び当接部１０２と同一の厚さで略直方体形状に形成されると共に、（図１１に示すように）アーム４５が当接する際の移動方向Ｖに対して角度θをなす方向Ｌに伸長して固定部１０１と当接部１０２を連結するように形成されている。
すなわち、第２緩衝部材１００は、固定部１０１、当接部１０２、及び複数の連結部１０３により、複数（ここでは、３個）の肉抜き部Ｓを画定し、肉抜き部Ｓは、図１１に示すように、略平行四辺形をなすと共に、当接部１０２の伸長方向において均等に配列されるように形成されている。
【００３２】
そして、第２緩衝部材１００は、図９ないし図１１に示すように、外側面１０１ａが第１当接壁部１０ｐに当接され、内側面１０１ｂが第２当接壁部１０ｑに当接され、一側面１０１ｃが第３当接壁部１０ｒに当接されることで、固定部１０１が地板１０の嵌合挟持部に嵌合されて挟持固定されて、当接部１０２及び複数の連結部１０３が地板１０に対して非接触の状態に維持されて自由に弾性変形し得るようになっている。
尚、第２緩衝部材１００を地板１０の嵌合挟持部に固定する際に、連結部１０３の両側面が、第２当接壁部１０ｑの側面と非接触となるように嵌め込まれており、連結部１０３の撓み変形を妨げないようになっている。
このように、第２緩衝部材１００は、第１当接壁部１０ｐ及び第２当接壁部１０ｑで固定部１０１の外側面１０１ａ及び内側面１０１ｂを挟持しつつ、第３当接壁部１０ｒで厚み方向において固定部１０１を位置決めでき、地板１０に対して抜け落ちないように容易に組み付けることができる。
【００３３】
上記構成をなす第２緩衝部材１００においても、第１緩衝部材９０と同様の衝撃緩和作用が得られ、アーム４５は、第２緩衝部材１００の当接部１０２に当接した後に、複数の連結部１０３の撓み（弾性変形）により、相対的な移動（滑り）を生じることなく（両者の接触点がずれることなく）一体的に移動するため、相対的な移動（滑り）による摩耗や破損等を防止でき、構造の簡素化、耐久性の向上等を達成しつつ、先羽根４０の走行完了時の衝撃を効率よく緩和でき、又、衝撃に伴うバウンド等も抑制ないし防止でき、所望のタイミングでシャッタ動作を行わせることができる。
ここでも、第１緩衝部材９０と同様に、複数の肉抜き部Ｓが略平行四辺形をなすように形成されているため、連結部１０３の撓み方向が予め方向付けられており、それ故に、撓みによる弾性変形量を十分確保できると共に、所望の衝撃吸収性能を得ることができる。
また、複数の肉抜き部Ｓが当接部１０２の伸長方向において均等に配列されているため、当接部１０２の直線状の当接面１０２ａの全域をアーム４５に均等に接触（当接）させて、局部的な接触（当接）による片摩耗等を確実に防止することができる。
さらに、第２緩衝部材１００の当接部１０２がアーム４５と直線状に当接するため、先羽根４０の衝突による変形等を防止しつつ、安定した衝撃緩和作用を得ることができる。
【００３４】
二つの電磁石１１０は、地板１０に平行に配置された支持板（不図示）に保持されており、図１ないし図３に示すように、所定の長さの鉄芯部材１１１、鉄芯部材１１１の周りおいてボビンに巻回された励磁用のコイル１１２等により構成されている。
そして、コイル１１２への通電により、鉄芯部材１１１を通る磁力線を発生させて、図２に示すように、セット位置にセットされた先羽根駆動レバー６０及び後羽根駆動レバー７０の被吸着部６０ｃ，７０ｃに鉄芯部材１１１が対向して磁気的吸引力を及ぼして、先羽根駆動レバー６０及び後羽根駆動レバー７０をそれぞれの付勢バネの回転付勢力に抗してセット位置に保持し、一方、コイル１１２への通電を断つことにより、先羽根駆動レバー６０及び後羽根駆動レバー７０が付勢バネの回転付勢力によりそれぞれ時計回りに回転するのを許容するようになっている。
【００３５】
次に、このフォーカルプレンシャッタの動作について、図１ないし図３を参照しつつ説明する。
先ず、シャッタ動作完了後（露光動作完了後）の休止状態においては、図１に示すように、先羽根駆動レバー６０は時計回りに回転して、駆動ピン６０ａが当接ゴム８０に当接して停止すると共に先羽根４０のアーム４５が第２緩衝部材１００に当接して停止し、先羽根４０は開口部１０ａを開放した位置に位置し、又、後羽根駆動レバー７０は時計回りに回転して、駆動ピン７０ａが当接ゴム８０に当接して停止すると共に後羽根５０の羽根本体５４が第１緩衝部材９０に当接して停止し、後羽根５０は開口部１０ａを閉鎖した位置に位置している。
【００３６】
ここで、レリーズ動作等により、シャッタ動作の準備指令が発せられると、セット部材によりセット動作が行われて、図２に示すように、先羽根駆動レバー６０を反時計回りに回転させてシャッタ動作前のセット位置（先羽根４０が開口部１０ａを閉鎖した状態）に位置付け、かつ、後羽根駆動レバー７０を反時計回りに回転させてシャッタ動作前のセット位置（後羽根５０が開口部１０ａを開放した状態）に位置付け、続いて、電磁石１１０，１１０が通電されると、被吸着部６０ｃ，７０ｃを吸着して先羽根駆動レバー６０及び後羽根駆動レバー７０を時計回りに回転付勢する付勢バネの付勢力に抗してセット位置に保持する。そして、セット部材が休止位置に戻されて、先羽根駆動レバー６０及び後羽根駆動レバー７０の時計回りの回転を規制する状態が解除される。
【００３７】
続いて、所望のタイミングで、電磁石１１０の通電が断たれると、図３に示すように、先羽根駆動レバー６０が付勢バネの付勢力により時計回りに回転して先羽根４０が開口部１０ａを開放し、駆動ピン６０ａが当接ゴム８０に当接すると共に、先羽根４０のアーム４５が第２緩衝部材１００に当接して、それぞれ衝撃が緩和され、先羽根４０及び先羽根駆動レバー６０が所定位置に停止する。
特に、先羽根４０のシャッタ動作完了時（走行終了時）に、先羽根４０のアーム４５が第２緩衝部材１００の当接部１０２に当接すると、その当接部１０２が弾性変形すると共に複数の連結部１０３が先羽根４０（のアーム４５）の移動方向Ｖに撓むように弾性変形して、先羽根４０の走行終了時における衝撃が緩和される。
この衝撃緩和作用において、先羽根４０のアーム４５は第２緩衝部材１００の当接部１０２に当接した後に、複数の連結部１０３の撓み（弾性変形）により、相対的な移動（滑り）を生じることなく一体的に移動するため、相対的な移動（滑り）による摩耗や破損等を防止され、走行完了時の衝撃が効率よく緩和され、又、衝撃に伴うバウンド等も抑制ないし防止される。
【００３８】
続いて、所望のタイミングで、電磁石１１０の通電が断たれると、図１に示すように、後羽根駆動レバー７０が付勢バネの付勢力により時計回りに回転して後羽根５０が開口部１０ａを閉鎖し、駆動ピン７０ａが当接ゴム８０に当接すると共に、後羽根５０の羽根本体５４が第１緩衝部材９０に当接して、それぞれ衝撃が緩和され、後羽根５０及び後羽根駆動レバー７０が所定位置に停止する。
特に、後羽根５０のシャッタ動作完了時（走行終了時）に、後羽根５０の羽根本体５４が第１緩衝部材９０の当接部９２に当接すると、その当接部９２が弾性変形すると共に複数の連結部９３が後羽根５０（の羽根本体５４）の移動方向Ｖに撓むように弾性変形して、後羽根５０の走行終了時における衝撃が緩和される。
この衝撃緩和作用において、後羽根５０の羽根本体５４は第１緩衝部材９０の当接部９２に当接した後に、複数の連結部９３の撓み（弾性変形）により、相対的な移動（滑り）を生じることなく一体的に移動するため、相対的な移動（滑り）による摩耗や破損等を防止され、走行完了時の衝撃が効率よく緩和され、又、衝撃に伴うバウンド等も抑制ないし防止される。
以上により、先羽根４０及び後羽根５０による開口部１０ａの開閉動作が行われて、１回のシャッタ動作が完了する。
【００３９】
このように、緩衝部材（第１緩衝部材９０、第２緩衝部材１００）が、基板１０に不動に固定される固定部９１，１０１、羽根部材（羽根本体５４、アーム４５）を当接させる直線状の当接部９２，１０２、羽根部材（羽根本体５４、アーム４５）が当接する際の移動方向Ｖに対して所定角度θをなす方向Ｌに伸長して固定部９１，１０１及び当接部９２，１０２を連結する複数の連結部９３，１０３を含み、固定部９１，１０１、当接部９２，１０２、及び複数の連結部９３，１０３により複数の肉抜き部Ｓを画定するように形成されているため、羽根部材（後羽根５０、先羽根４０）が当接部９２，１０２に当接した後に、複数の連結部９３，１０３の撓み（弾性変形）により相対的な移動（滑り）を生じることなく一体的に移動するため、相対的な移動（滑り）による摩耗や破損等を防止でき、構造の簡素化、耐久性の向上等を達成しつつ、羽根部材（先羽根４０、後羽根５０）の走行完了時の衝撃を効率よく緩和でき、又、衝撃に伴うバウンド等も抑制ないし防止でき、所望のタイミングでシャッタ動作を行わせることができる。
【００４０】
上記実施形態においては、先羽根４０及び後羽根５０を備えた構成において、先羽根４０のアーム４５に当接する第２緩衝部材１００、後羽根５０の羽根本体５４に当接する第１緩衝部材９０を採用した場合を示したが、これに限定されるものではなく、例えば、一つの羽根部材を備え、単に開口部を開放した状態から閉鎖した状態に移動することでシャッタ動作を行う構成において、羽根部材（のアーム又は羽根本体）に当接する一つの緩衝部材を採用してもよい。
上記実施形態においては、緩衝部材（第１緩衝部材９０、第２緩衝部材１００）が、羽根部材を構成する羽根本体５４やアーム４５に当接する場合を示したが、これに限定されるものではなく、羽根部材を駆動する駆動部材（後羽根駆動レバー７０、先羽根駆動レバー６０）に当接するように構成してもよい。
【００４１】
上記実施形態においては、緩衝部材として、複数の肉抜き部Ｓが略平行四辺形をなす緩衝部材（第１緩衝部材９０、第２緩衝部材１００）を示したが、これに限定されるものではなく、その他の形態をなす肉抜き部を画定するように形成された緩衝部材を採用してもよい。
上記実施形態においては、基板として、地板１０、裏板２０、中間板３０を備え、先羽根４０が中間板３０と裏板２０により画定される第２羽根室Ｗ２に配置され、後羽根５０が地板１０と中間板３０により画定される第１羽根室Ｗ１に配置される構成を示したが、先羽根４０が第１羽根室Ｗ１に配置されると共に緩衝部材がそれに対応した位置に配置され、後羽根５０が第２羽根室Ｗ２に配置されると共に緩衝部材がそれに対応した位置に配置される構成を採用してもよい。
【産業上の利用可能性】
【００４２】
以上述べたように、本発明のフォーカルプレンシャッタは、構造の簡素化、耐久性の向上等を達成しつつ、開口部を開閉する羽根部材の走行完了時の衝撃を効率よく緩和でき、又、衝撃に伴うバウンド等も抑制ないし防止でき、緩衝部材の摩耗や破損等を防止でき、所望のタイミングでシャッタ動作を行うことができるため、一眼カメラ、一眼レフカメラ、ミラーレスカメラ、レンジファインダカメラ等のカメラに適用できるのは勿論のこと、その他の露光用の開口部を備えた光学機器に対しても有用である。
【符号の説明】
【００４３】
１０  地板（基板）
１０ａ  開口部
１０ｊ，１０ｐ  第１当接壁部（嵌合挟持部）
１０ｋ，１０ｑ  第２当接壁部（嵌合挟持部）
１０ｍ，１０ｒ  第３当接壁部（嵌合挟持部）
１０ｎ  第４当接壁部（嵌合挟持部）
２０  裏板（基板）
３０  中間板（基板）
Ｗ１  第１羽根室
Ｗ２  第２羽根室
４０  先羽根（羽根部材）
４１，４２，４３，４４  羽根本体
４５，４６  アーム
５０  後羽根（羽根部材）
５１，５２，５３，５４  羽根本体
５５，５６  アーム
６０  先羽根駆動レバー（駆動部材）
７０  後羽根駆動レバー（駆動部材）
９０  第１緩衝部材
９１  固定部
９１ａ  外側面
９１ｂ  内側面
９１ｃ  一側面
９１ｄ  凹状部（他側面）
９２  当接部
９２ａ  当接面
９３  複数の連結部
１００  第２緩衝部材
１０１  固定部
１０１ａ  外側面
１０１ｂ  内側面
１０１ｃ  一側面
１０２  当接部
１０２ａ  当接面
１０３  複数の連結部
Ｓ  肉抜き部
【図１】
2015138259.tif 000003
【図２】
2015138259.tif 000004
【図３】
2015138259.tif 000005
【図４】
2015138259.tif 000006
【図５】
2015138259.tif 000007
【図６】
2015138259.tif 000008
【図７】
2015138259.tif 000009
【図８】
2015138259.tif 000010
【図９】
2015138259.tif 000011
【図１０】
2015138259.tif 000012
【図１１】
2015138259.tif 000013